(57)【要約】【課題】  処理装置のジョブの実行中に中断された状態になってしまった場合でも、更なる課金を強いることなく、別の装置で全く同じ機能を利用した処理を継続することができる。【解決手段】  印刷ジョブを受信すると、そのジョブに対し、課金サーバと通信を行う課金処理を実行する。そして、受信した印刷ジョブに関する設定値、処理装置自身並びに代替可能な他の処理装置の識別情報をＮＦＣユニット内のメモリに書き込む。そして、印刷ジョブを実行すると共に、そのジョブの実行の過程で予め設定された処理単位が実行されるたびに、ジョブにおける未処理に関する進捗情報をＮＦＣユニット内のメモリに書き込む。【選択図】  図１
2015030135.tif 000002
【特許請求の範囲】
【請求項１】
ジョブを実行する処理装置であって、
外部装置から、ジョブを受信する受信手段と、
該受信手段で受信したジョブに対応する処理を実行する実行手段と
前記ジョブに関する設定値と、前記ジョブにおける前記実行手段により実行される前記処理の進捗情報の少なくとも一方を、前記処理装置に電力が供給されない状態であっても前記外部装置がアクセス可能なメモリに書き込む制御手段と
を備えることを特徴とする処理装置。
【請求項２】
前記書き込み手段はさらに、前記処理装置並びに代替可能な他の処理装置の識別情報を前記メモリに書き込むことを特徴とする請求項１に記載の処理装置。
【請求項３】
前記実行手段により実行される前記処理に対応する、前記外部装置に対する課金処理を行う課金手段を有することを特徴とする請求項１または２に記載の処理装置。
【請求項４】
前記受信手段で前記ジョブを受信した場合、代替可能な他の処理装置の識別情報を前記通信手段を介して取得する取得手段を更に有することを特徴とする請求項１に記載の処理装置。
【請求項５】
前記取得手段は、前記ジョブについて処理単位が実行されるたびに、代替可能な他の処理装置の識別情報の取得を実行する
ことを特徴とする請求項４に記載の処理装置。
【請求項６】
前記制御手段は、前記ジョブに対する処理が正常に終了した場合、前記メモリに記憶されている前記設定値及び前記進捗情報を削除することを特徴とする請求項１乃至５のいずれか１項に記載の処理装置。
【請求項７】
前記制御手段は、前記ジョブの処理中のエラー発生のタイミングで、前記進捗情報を前記メモリーに書き込み更新する
ことを特徴とする請求項１乃至６のいずれか１項に記載の処理装置。
【請求項８】
前記制御手段は、
前記課金手段が、前記受信手段によってジョブと、当該ジョブが他の処理装置で未完であったことを示すための当該他の処理装置の識別情報とを受信した場合、前記他の処理装置の識別情報を送信して受信したジョブが既に課金済みであるか判断し、課金済みである場合に、前記ジョブについては更なる課金処理を行わずに実行する、
ことを特徴とする請求項３に記載の処理装置。
【請求項９】
前記制御手段は、
前記受信手段によってジョブを受信し、かつ、前記ＮＦＣユニットによって受信したジョブが他の処理装置で未完であったことを示すための当該他の処理装置の識別情報と、未完となった際の進捗情報とを受信した場合、
前記課金サーバに前記他の処理装置の識別情報を送信して受信したジョブが既に課金済みであるか否かを判断し、課金済みである場合に前記ジョブについては、前記進捗情報に従ってジョブを書き換えた後に、更なる課金処理を行わずに受信したジョブを実行する
ことを特徴とする請求項３に記載の処理装置。
【請求項１０】
前記制御手段は、
前記受信手段によってジョブを受信し、かつ、当該ジョブが他の処理装置による処理が未完であったことによる課金取り消しの要求であった場合、
前記他の処理装置の識別情報を送信して受信したジョブが既に課金済みであるか否かを判断し、課金を取り消しを行う
ことを特徴とする請求項３に記載の処理装置。
【請求項１１】
前記ジョブは印刷ジョブであって、前記処理単位は１枚の印刷処理とすることを特徴とする請求項１乃至５のいずれか１項に記載の処理装置。
【請求項１２】
ＮＦＣ通信を行うＮＦＣユニットを有し、
前記制御手段は、前記ＮＦＣユニットが備えるメモリに前記書き込みを行うことを特徴とする請求項１乃至１１のいずれか１項に記載の処理装置。
【請求項１３】
ＮＦＣユニットと、前記処理装置と通信可能な通信手段とを有し、請求項１２の処理装置にジョブを送信する外部装置として機能する端末装置であって、
前記通信手段を介して処理装置にジョブを送信する送信手段と、
該送信処理で送信したのち、送信先の処理装置がエラー停止したとき、前記進捗情報を前記ＮＦＣユニットを介して取得する取得手段と、
取得した進捗情報に従って、未完部分のジョブを、他の処理装置に送信する制御手段と
を有することを特徴とする端末装置。
【請求項１４】
前記通信手段は、前記ＮＦＣユニットによるＮＦＣ通信により、前記処理装置と通信することを特徴とする請求項１３に記載の端末装置。
【請求項１５】
ジョブを実行する処理装置の制御方法であって、
外部装置から、ジョブを受信する受信工程と、
該受信工程において受信したジョブに対応する処理を実行する実行工程と
前記ジョブに関する設定値と、前記ジョブにおける前記実行工程において実行される前記処理の進捗情報の少なくとも一方を、前記処理装置に電力が供給されない状態であっても前記外部装置がアクセス可能なメモリに書き込む制御工程と
を有することを特徴とする処理装置の制御方法。
【請求項１６】
請求項１乃至１２に記載の処理装置の各手段または請求項１３または１４に記載の端末装置の各手段としてコンピュータを機能させるためのプログラム。
【発明の詳細な説明】
【技術分野】
【０００１】
本発明は近距離無線通信を利用したジョブを処理する技術に関するものである。
【背景技術】
【０００２】
近年、デジタルカメラや携帯電話等の外部装置から、ＮＦＣをはじめとする近距離無線通信によって通信相手を特定し、近距離無線通信とは別の無線通信によってこの画像ファイルをプリンタ等の画像形成装置で出力するシステムが知られている。
【０００３】
外部装置は、画像ファイルの転送が終了すると通信を切断してしまうため、画像ファイルの転送が終了した後に画像形成装置でエラーが発生した場合でも、外部装置にエラーの内容が通知されることはない。従って、外部装置のユーザは、どのようなエラーが発生し、その解消にはどのような操作が必要なのかを把握することが難しいという課題があった。このような課題に対応するために、無線通信の切断後の再接続時に発生したエラーの情報を外部装置に通知するという方法が提案されている（特許文献１）。
【先行技術文献】
【特許文献】
【０００４】
【特許文献１】特開２０１０−６０１６号公報
【発明の概要】
【発明が解決しようとする課題】
【０００５】
しかしながら、特許文献１に示すような例において、エラーが発生したことが通知されたとしても、エラーが発生した印刷において使用されていた設定や印刷の進捗状況を把握することはできない。そのため、例えば当該エラーが発生した印刷装置とは異なる印刷装置で、同じ設定により続きから印刷を継続させようとした場合、ユーザが改めて設定を行い、また続きとなるページ等を指定しなければならない。従って、別のプリンタで印刷を継続することは困難であるという課題がある。
【課題を解決するための手段】
【０００６】
この課題を解決するため、例えば本発明の処理装置は以下の構成を備える。すなわち、
ジョブを実行する処理装置であって、
外部装置から、ジョブを受信する受信手段と、
該受信手段で受信したジョブに対応する処理を実行する実行手段と
前記ジョブに関する設定値と、前記ジョブにおける前記実行手段により実行される前記処理の進捗情報の少なくとも一方を、前記処理装置に電力が供給されない状態であっても前記外部装置がアクセス可能なメモリに書き込む制御手段とを備える。
【発明の効果】
【０００７】
本発明によれば、処理装置のジョブの実行中に中断された状態になってしまった場合でも、更なる課金を強いることなく、別の装置で全く同じ機能を利用した処理を継続することができる。
【図面の簡単な説明】
【０００８】
【図１】実施形態における印刷システムの構成を示す図。
【図２】端末装置２００の外観を表す図。
【図３】印刷装置３００の外観を表す図。
【図４】端末装置２００の構成を示すブロック図。
【図５】印刷装置３００の構成を示すブロック図。
【図６】ＮＦＣユニットの構成を表したブロック図。
【図７】実施形態１の処理の内容を表すフローチャート。
【図８】印刷装置３００のＮＦＣメモリーに保存するジョブの設定値を示す図。
【図９】印刷装置３００のＮＦＣメモリーに保存する印刷装置の識別情報を示す図。
【図１０】印刷装置３００のＮＦＣメモリーに保存する印刷装置３００の識別情報を示す図。
【図１１】印刷装置３００のＮＦＣメモリーに保存する残り印刷部数を示す図。
【図１２】実施形態２の処理の内容を表すフローチャート。
【図１３】実施形態２の処理の内容を表すフローチャート。
【図１４】実施形態３の処理の内容を表すフローチャート。
【図１５】実施形態３の処理の内容を表すフローチャート。
【図１６】実施形態４の処理の内容を表すフローチャート。
【図１７】実施形態４の処理の内容を表すフローチャート。
【発明を実施するための形態】
【０００９】
以下に、図面を参照しながら、この発明の好適な実施の形態を例示的に詳しく説明する。但し、本実施形態に記載されている構成要素の相対配置、表示画面等は、特に特定的な記載がない限りは、この発明の範囲をそれらのみに限定する趣旨のものではない。
【００１０】
［実施形態１］
図１は印刷処理システムの構成を示す図である。このシステムは、ネットワーク１００を中心に、そのネットワーク１００に接続可能な携帯型の端末装置２００及び印刷装置３００、７００及び課金サーバー８００で構成される。通信装置としても機能する端末装置２００は、通信速度が異なる少なくとも２種類以上の無線通信部を有する。端末装置２００は、ＰＤＡ（Ｐｅｒｓｏｎａｌ  Ｄｉｇｉｔａｌ  Ａｓｓｉｓｔａｎｔ）等の個人情報端末、携帯電話、デジタルカメラ等、印刷対象となるファイルを扱える装置であればその種類は問わない。
【００１１】
通信装置としても機能する印刷装置３００（印刷装置７００も同様）は、原稿台に原稿を載せて原稿を読み取る読取機能と、インクジェットプリンタ等の印刷エンジンを用いて印刷を行う印刷機能を有しており、その他、ＦＡＸ機能や電話機能を有していても良い。なお、図１ではネットワーク上に２つの印刷装置３００、７００が接続されている例を示しているが、この数に制限はなく、複数であればよい。
【００１２】
課金サーバー８００は印刷装置３００の要求に応じて、課金処理を実行する機能を有しており、印刷装置３００は有線ＬＡＮもしくは無線ＬＡＮで接続されている。また、課金サーバー８００には複数の印刷装置が接続されていても良い。
【００１３】
ネットワーク１００と印刷装置３００は、有線ＬＡＮもしくは無線ＬＡＮで接続されている。ネットワーク１００と端末装置２００は無線ＬＡＮで接続されている。端末装置２００と印刷装置３００は共に無線ＬＡＮの機能を有するため、相互認証をすることによってピアツーピア（以後、Ｐ２Ｐ）の通信が可能となる。
【００１４】
図２は端末装置２００の外観を示す図である。本実施形態では、スマートフォンを例にしている。スマートフォンとは、携帯電話の機能の他に、カメラや、ネットブラウザ、メール機能等を搭載した多機能型の携帯電話のことである。ＮＦＣ（Near Field Communication）ユニット２０１は、近距離無線通信を行うユニットであり、実際にＮＦＣユニット２０１を相手先のＮＦＣユニット（実施形態では、印刷装置３００のＮＦＣユニット）に所定距離（１０ｃｍ程度）以内に近づけることで通信を行うことができる。
【００１５】
無線ＬＡＮユニット２０２は、無線ＬＡＮで通信を行うためのユニットであり、端末装置２００内に配置されている。表示部２０３は、例えば、ＬＣＤ方式の表示機構を備えるディスプレイである。操作部２０４は、タッチパネル方式の操作機構を備えており、ユーザの押下情報を検知する。代表的な操作方法には、表示部２０３がボタンアイコンやソフトウェアキーボードの表示を行い、ユーザが操作部２０４を押下することによってボタンが押下されたイベントを発行することである。電源キー２０５は、電源のオン及びオフをする際に用いる。
【００１６】
図３（ａ）は印刷装置の外観を示す図である。本実施形態では、読取機能（スキャナ）を有するＭｕｌｔｉ  Ｆｕｎｃｔｉｏｎ  Ｐｒｉｎｔｅｒ（ＭＦＰ）を例にしている。図３（ａ）において、原稿台３０１はガラス状の透明な台であり、原稿を載せてスキャナで読み取る時に使用する。原稿蓋３０２は、スキャナで読取を行う際に読取光が外部に漏れないようにするための蓋である。印刷用紙挿入口３０３は、様々なサイズの用紙をセットする挿入口である。印刷用紙挿入口３０３にセットされた用紙は一枚ずつ印刷部に搬送され、印刷を行って印刷用紙排出口３０４から排出される。
【００１７】
図３（ｂ）において、原稿蓋３０２の上部には操作表示部３０５及びＮＦＣユニット３０６が配置されている。ＮＦＣユニット３０６は、近距離無線通信を行うためのユニットであり、実際に、端末装置２００を印刷装置３００に近接させる場所である。ＮＦＣユニット３０６から所定距離（約１０ｃｍ）が接触の有効距離である。無線ＬＡＮアンテナ３０７は、無線ＬＡＮで通信するためのアンテナが埋め込まれている。
【００１８】
尚、近距離無線通信とは、ＮＦＣに代表される、通信範囲が、比較的小さい所定範囲（例えば、１メートル〜数センチ）となる無線通信を意味する。
【００１９】
図４は端末装置の構成を示すブロック図である。端末装置２００は、装置全体の制御を行うメインボード２１０、無線ＬＡＮユニット２０２、ＮＦＣユニット２０１、回線接続ユニット２０６、操作部２０４及び表示部２０３からなる。ここで、無線ＬＡＮユニット２０２、ＮＦＣユニット２０１、及び回線接続ユニット２０６はいずれも、端末装置２００の通信部として機能する。
【００２０】
メインボード２１０に配置されるマイクロプロセッサ形態のＣＰＵ２１１は、内部バス２１２を介して接続されているＲＯＭ形態のプログラムメモリー２１３に格納されている制御プログラムと、ＲＡＭ形態のデータメモリー２１４の内容とに従って動作する。
【００２１】
ＣＰＵ２１１は、無線ＬＡＮ制御回路２１５を介して無線ＬＡＮユニット２０２を制御することで、他の通信端末装置と無線ＬＡＮ１０２による通信を行う。ＣＰＵ２１１は、ＮＦＣ制御回路２１６を介してＮＦＣユニット２０１を制御することによって、他のＮＦＣ端末とのＮＦＣ１０１による接続を検知したり、他のＮＦＣ端末との間でデータの送受信を行うことができる。ＣＰＵ２１１は、回線制御回路２１７を介して回線接続ユニット２０６を制御することで、携帯電話回線網１０５に接続し、通話やデータ送受信を行うことができる。
【００２２】
ＣＰＵ２１１は、操作部制御回路２１８を制御することによって操作部２０４に表示を行ったり、ユーザからの操作を受け付けることが可能である。ＣＰＵ２１１は、カメラ部２１９を制御して画像を撮影することができ、撮影した画像をデータメモリー２１４中の画像メモリー２２０に格納する。また、撮影した画像以外にも、携帯電話回線網１０５、無線ＬＡＮ１０２、あるいはＮＦＣ１０１を通じて外部から取得した画像を画像メモリー２２０に格納したり、逆に外部に送信することも可能である。
【００２３】
不揮発性メモリー２２１は、フラッシュメモリー等のメモリーで構成され、電源をオフされた後でも保存しておきたいデータを格納する。例えば、電話帳データや、各種通信接続情報や過去に接続したデバイス情報等の他、保存しておきたい画像データ、あるいは端末装置２００に各種機能を実現するアプリケーションソフトウェア等のプログラムが格納される。
【００２４】
図５は印刷装置の構成を示すブロック図である。印刷装置３００は、装置全体の制御を行うメインボード３１０、回線接続ユニット３２２、無線ＬＡＮユニット３０８、ＮＦＣユニット３０６、及び操作表示部３０５からなる。ここで、回線接続ユニット３２２、無線ＬＡＮユニット３０８及びＮＦＣユニット３０６は、印刷装置３００の通信部として機能する。
【００２５】
メインボード３１０に配置されるマイクロプロセッサ形態のＣＰＵ３１１は、内部バス３１２を介して接続されているＲＯＭ形態のプログラムメモリー３１３に格納されている制御プログラムと、ＲＡＭ形態のデータメモリー３１４の内容とに従って動作する。
【００２６】
ＣＰＵ３１１は、スキャナ部３１５を制御して原稿を読み取り、データメモリー３１４中の画像メモリー３１６に格納する。また、ＣＰＵ３１１は、印刷部３１７を制御してデータメモリー３１４中の画像メモリー３１６の画像を記録媒体に印刷することができる。
【００２７】
ＣＰＵ３１１は、無線ＬＡＮ制御回路３１８を通じて無線ＬＡＮユニット３０８を制御することで、他の通信端末装置や課金サーバーと無線ＬＡＮ１０２による通信を行う。また、ＣＰＵ３１１は、ＮＦＣ制御回路３１９を介してＮＦＣユニット３０６を制御することによって、他のＮＦＣ端末とのＮＦＣ１０１による接続を検知したり、他のＮＦＣ端末との間でデータの送受信を行うことができる。ＣＰＵ３１１は、回線制御回路３２１を介して回線接続ユニット３２２を制御することで、電話回線網３２３に接続し、ＦＡＸ送受信やデータ送受信を行うことができる。
【００２８】
ＣＰＵ３１１は、操作表示部制御回路３２０を制御することによって操作表示部３０５に印刷装置３００の状態の表示や機能選択メニューの表示を行ったり、ユーザからの操作を受け付けることが可能である。
【００２９】
図６はＮＦＣユニット２０１あるいはＮＦＣユニット３０６で使用されているＮＦＣユニット６００の詳細を示すブロック図である。
【００３０】
ＮＦＣ通信では、ＮＦＣユニット６００による近距離無線通信を行う場合、初めに、ＲＦ（Ｒａｄｉｏ  Ｆｒｅｑｕｅｎｃｙ）フィールドを出力して通信を開始する装置をイニシエータと呼ぶ。また、イニシエータの発する命令に応答し、イニシエータとの通信を行う装置をターゲットと呼ぶ。
【００３１】
ここで、パッシブモードとアクティブモードについて説明する。ＮＦＣユニットの通信モードには、パッシブモードとアクティブモードが存在する。パッシブモードでは、ターゲットは、イニシエータの命令に対し、負荷変調を行うことで応答する。そのため、ターゲットには電力の供給が不要である。一方、アクティブモードでは、ターゲットは、イニシエータの命令に対し、ターゲット自らが発するＲＦフィールドによって応答する。そのため、ターゲットに電力の供給が必要となる。アクティブモードはパッシブモードと比較して通信速度を高速にできるという特徴もある。
【００３２】
ＮＦＣユニット６００は、ＮＦＣコントローラ部６０１、アンテナ部６０２、ＲＦ部６０３、送受信制御部６０４、ＮＦＣメモリー６０５、電源６０６、及びデバイス接続部６０７を有する。アンテナ部６０２は、他のＮＦＣデバイスから電波やキャリアを受信したり、他のＮＦＣデバイスに電波やキャリアを送信したりする。ＲＦ部６０３は、アナログ信号をデジタル信号に変復調する機能を備えている。ＲＦ部６０３は、シンセサイザを備えていて、バンド、チャネルの周波数を識別し、周波数割り当てデータによるバンド、チャネルの制御をしている。
【００３３】
尚、ＮＦＣメモリー６０５は、例えば、不揮発性メモリーで構成され、電源からの電力が供給されていない状態でも、そのＮＦＣメモリー６０５に記憶されているデータを読み書きすることができる。より具体的には、ＮＦＣメモリー６０５の中に記憶してあるデータは、例えば、端末装置２００の電池残量が無くなった場合でも、あるいは印刷装置３００へ電源が供給されていない場合でも、ＮＦＣのパッシブモードの通信で読み書きすることができる。このＮＦＣメモリー６０５へのデータの読み書きを含むデータの記憶制御は、ＮＦＣコントローラ部６０１によって実現される。
【００３４】
送受信制御部６０４は、送受信フレームの組み立て及び分解、プリアンブル付加及び検出、フレーム識別等、送受信に関する制御を行う。送受信制御部６０４は、ＮＦＣメモリー６０５の制御も行い、各種データやプログラムを読み書きする。アクティブモードとして動作する場合、電源６０６を介して電力の供給を受け、デバイス接続部６０７を通じてデバイスと通信を行ったり、アンテナ部６０２を介して送受信されるキャリアにより、通信可能な範囲にある他のＮＦＣデバイスと通信する。パッシブモードとして動作する場合、アンテナを介して他のＮＦＣデバイスからキャリアを受信して電磁誘導により他のＮＦＣデバイスから電力の供給を受け、キャリアの変調により当該他のＮＦＣデバイスとの間で通信を行ってデータを送受信する。そのため、パッシブモードにおけるターゲットとしてＮＦＣユニットが動作する場合、ＡＣ電源やバッテリー等から電力が供給されていなくても、ＮＦＣユニットが備えるメモリに記憶されているデータの送信や、外部のＮＦＣユニットからのデータ受信を行うことができる。
【００３５】
以下では、端末装置２００のＮＦＣユニット２０１と印刷装置３００のＮＦＣユニット３０６を近づける操作のことを、「ＮＦＣタッチ操作」と記すものとする。
【００３６】
本実施形態では、ユーザが端末装置２００を操作して印刷対象の画像を選択した後、印刷を行う印刷装置３００に対してＮＦＣタッチ操作を行うことで、選択した画像を印刷装置３００で印刷するというユースケースについて説明する。
【００３７】
図７のフローチャートを用いて、本実施形態の説明を行う。図７は、端末装置２００で指定した画像を印刷装置３００で印刷を行う際の処理である。また、図８は印刷装置３００のＮＦＣメモリーに書き込むジョブの設定値を示したものである。図８の設定値は、本発明の一実施形態を表すものであって、これと異なる情報を含んだり、一部の設定値を含まなかったりしてもよい。図９は、印刷装置３００のＮＦＣメモリーに書き込む、課金処理が実行可能な複数の印刷装置の識別情報を示したものである。以降、課金処理が実行可能な複数の印刷装置の識別情報を「識別情報リスト」と記すものとする。図１０は、印刷装置３００のＮＦＣメモリーに書き込む、印刷装置自身の識別情報を示したものである。図９と図１０の識別子については、本発明の一実施形態を表すものであって、これと異なる形式のものでもかまわない。図１１は、印刷装置３００のＮＦＣメモリーに書き込む、残り印刷部数を示したものである。
【００３８】
ステップＳ１１０１で、端末装置２００は、操作部２０４に対するユーザの操作に応じて、画像データを選択し、印刷部数を設定した上で印刷ジョブを生成する。ここで、画像データは複数選択しても良い。次に、ステップＳ１１０２で、端末装置２００は、ＮＦＣタッチ操作に応じて、印刷装置３００と無線ＬＡＮのＰ２Ｐ接続を確立し、印刷装置３００に対しての課金処理を実行する。ここで、ＮＦＣタッチ操作で無線ＬＡＮのＰ２Ｐ接続を確立する手順の一例を示すなら、第１に、ＮＦＣ通信により、端末装置２００は無線ＬＡＮのための通信パラメータ（ＳＳＩＤや暗号キーなど）を印刷装置３００より取得する。そして、第２に、通信パラメータをつかって、無線ＬＡＮユニット２０２を設定することになる。なお、上記の無線ＬＡＮのＰ２Ｐ接続を確立は一例であって、他の手法を用いても構わない。ステップＳ１１０３で、端末装置２００は、印刷装置３００にステップＳ１１０１で生成したジョブデータを送信する送信処理を行う。また、課金の際には、端末装置を特定するため、並びに、課金を行うためのユニークな情報の送信も行う。
【００３９】
ステップＳ１１０４で、印刷装置３００は、課金サーバー７００と通信を行い、課金サーバー７００に対して課金処理を実行するための要求を出し、課金処理を実行する。ここで行う課金処理は、印刷装置３００で受信した印刷ジョブデータに対して、一括で行うものとする。そして、印刷装置３００は、受信した印刷ジョブの印刷処理を開始する。
【００４０】
ステップＳ１１０５で、印刷装置３００は、受信したジョブデータからジョブの設定値（図８）を印刷装置３００のＮＦＣユニット３０６内のＮＦＣメモリー（図６のＮＦＣメモリ６０５に対応する）に書き込む。ステップＳ１１０５の時点で、印刷装置３００は、印刷を実行している最中である。
【００４１】
ステップＳ１１０６で、印刷装置は３００は、課金サーバー７００に接続されているネットワークに対して通信を行い、識別情報リスト（図９）を取得する。識別情報の取得については、ブロードキャスト方式で通信を行い、応答があった装置から識別情報を取得しても良い。また、課金サーバー７００に要求することで、課金サーバー７００から印刷装置の識別情報を取得しても良い。
【００４２】
ステップＳ１１０７で、ステップＳ１１０６で取得した複数の印刷装置の識別情報と印刷装置３００の識別情報（図１０）をＮＦＣメモリーに書き込む。印刷装置３００の識別情報は、事前にＮＦＣメモリーに書き込んでいてもかまわない。
【００４３】
ステップＳ１１０８で、印刷装置３００は、ジョブの処理単位（実施形態では印刷用紙１枚の印刷）が完了する毎に、ジョブの進捗情報（残り印刷ページ数や部数（図１１））を印刷装置３００のＮＦＣメモリーに書き込み、更新する。ここで、図１１で管理する画像ＩＤの残り印刷部数が０になった場合は、その画像ＩＤの残り印刷部数を印刷装置３００のＮＦＣメモリーから削除してもかまわない。なお、Ｓ１１０８においてＮＦＣメモリーに書き込まれる情報は、残り印刷ページ数、部数に限らず、印刷が完了したページのページ番号や、次に印刷するページのページ番号であってもよい。
【００４４】
ステップＳ１１０９で、印刷装置３００は、ステップＳ１１０６で取得を試みた識別情報リストについて、取得が成功したか否かを確認する。取得に失敗していた場合は、ステップＳ１１０６からステップＳ１１０８の処理を、識別情報リストが取得できるまで繰り返す。
【００４５】
ステップＳ１１１０で、印刷装置３００は、印刷が正常に終了したか否かを判定する。印刷が正常に終了した場合（ステップＳ１１１０でＹＥＳ）、ステップＳ１１１１で、印刷装置３００は、印刷装置３００のＮＦＣメモリーに書き込んだジョブの設定値と識別情報リストと印刷装置３００の識別情報と残り印刷部数を削除する。ここで、印刷装置３００の識別情報は削除しなくてもかまわない。
【００４６】
一方、印刷が正常に終了しなかった場合（ステップＳ１１１０でＮＯ）、ステップＳ１１１２で、印刷が継続できない状態かを確認する。またＳ１１１０の判定で、Ｎｏ（印刷が正常に終了していない）と判定される場合とは、当該印刷ジョブに対応する印刷対象の全ページや、全部数の印刷がまだ行われていない場合や、各種のエラーにより印刷を継続できない場合を含む。印刷が継続できる場合（ステップＳ１１１２でＮＯ）、印刷が正常終了するまで、ステップＳ１１０８からステップＳ１１１０の処理を繰り返す。エラー等で印刷が継続できない場合（ステップＳ１１１２でＹＥＳ）、印刷装置３００は、Ｓ１１１３において、印刷装置３００のＮＦＣメモリーに残り印刷部数を書き込み、更新する。ここで、この書き込みは、印刷（ページ単位の一連の処理）の過程における、エラー発生のタイミングで、ＮＦＣメモリーに残り印刷部数を書き込んでも良い。
【００４７】
尚、ここでのエラーとは、印刷装置３００による印刷が直ちに復旧できないようなエラー、例えば、印刷部の機能不全、印刷装置３００の故障（電源故障、部品故障等）であるとするが、これに限定されない。それ以外の印刷を正常に終了できないエラー（例えばインクやトナー等の記録剤不足、用紙なし、紙ジャム等）でも良い。そのエラー時に、印刷装置３００の電源がＯＦＦになる場合でもよいし、印刷装置３００の電源はＯＮで維持されるが、印刷を実行できない場合でもよい。
【００４８】
以上説明したように、実施形態１によれば、印刷装置３００は、印刷ジョブに基づく印刷処理中に、自身が有するＮＦＣユニット３０６内のＮＦＣメモリーに、印刷を実行していたジョブの設定値及び識別情報リスト及び印刷３００の識別情報を格納する。特に、１枚の印刷を行われるたびに、ＮＦＣユニット３０６内のＮＦＣメモリーに残り印刷部数を、印刷の進捗情報として保存する。端末装置２００は、印刷装置３００のＮＦＣメモリーに保存されたジョブの設定値及び識別情報リスト及び印刷３００の識別情報及び残り印刷部数を、ＮＦＣユニット２０１を用いて参照もしくは読み出すことが可能である。これにより、印刷装置３００が故障等により印刷が継続できない状況（エラー停止）に陥ったとしても、端末装置２００のユーザは、端末装置２００とジョブの送信先として利用した印刷装置３００とをＮＦＣ通信を行わせ、印刷装置３００のＮＦＣユニット３０６内のＮＦＣメモリに格納された情報、すなわち、課金に関する情報、印刷ジョブがどの程度まで完了しているのか（未完部分である残りの印刷枚数）を示す情報、並びに、代替可能な印刷装置７００の識別情報を取得できる。従って、ユーザは端末装置２００と代替印刷装置７００に接続し、その代替印刷装置７００に印刷ジョブと、上記取得した情報を送信することで、当初の印刷ジョブの不足分を印刷を継続させることができると共に、課金情報も引き継がれるので、余計な課金を課せられることもない。かかる点の詳細は以下に実施形態２として説明する。
【００４９】
なお、図７に示したフローチャートにおいて、端末装置、印刷装置のどちらがイニシエータとなってＮＦＣ通信が行われてもよい。また、例えば端末装置が印刷ジョブを送信する際に、端末装置が印刷の要求を印刷装置に送るときは端末装置がイニシエータとなり、印刷対象のデータを送信するときは、印刷装置がイニシエータとなってもよい。
【００５０】
さらに、上記のように、ＮＦＣのパッシブモードにおけるターゲットとしてのＮＦＣユニットは、ＡＣ電源やバッテリーから電力が供給されなくてもＮＦＣ通信が可能である。そのため、例えば図７における通信において印刷装置のＮＦＣユニットがパッシブモードにおけるターゲットとして動作する場合、印刷中に印刷装置の電源がＯＦＦになるようなエラーが発生していたとしても、ＮＦＣユニットのメモリーに書き込まれた情報（設定値や進捗情報、課金情報、各種識別情報など）を端末装置が読み出すことができる。
【００５１】
また図７のフローにおいて印刷装置のＮＦＣユニットがイニシエータとなって通信が行われた場合、印刷装置の電源がＯＦＦになるエラーが発生していた場合、当該ＮＦＣユニットはイニシエータとして動作できない場合がある。このような場合に、ＮＦＣユニットをターゲットとして動作するようにしてもよい。
【００５２】
［実施形態２］
本実施形態では、印刷装置３００のＮＦＣメモリーに保存されている図８のジョブの設定値及び図９の識別情報リスト及び図１０印刷装置３００の識別情報及び図１１の残り印刷ページ数及び／又は部数を利用する。そして、印刷装置７００（代替印刷装置）で印刷を行うユースケースについて説明する。ここで、印刷装置３００と印刷装置７００は異なっていても、同一のものでもかまわない。
【００５３】
尚、本実施形態における各装置の構成について、特に説明のない限り、実施形態１と同等であるものとして説明を省略する。また、印刷装置７００の外観は図３、構成は図５と同等なものであるとする。
【００５４】
図１２と図１３のフローチャートを用いて、本実施形態の説明を行う。尚、ステップＳ１２０１〜ステップＳ１２０８までの処理は、図７のステップＳ１１０１〜ステップＳ１１０８と同一であるため、説明を省略する。
【００５５】
ステップＳ１２０８の処理を実行後、印刷装置３００で電源が入らないような故障が発生したものとする。ステップＳ１２０９で、端末装置２００は、ＮＦＣ通信を利用し、印刷装置３００のＮＦＣメモリーに保存されている、ジョブの設定値（図８）と識別情報リスト（図９）と印刷装置３００の識別情報（図１０）と残り印刷ページ数及び／又は部数を読み取る（図１１）。印刷装置３００が故障により電源が入らない状態であってもＮＦＣのパッシブモードを利用すれば、印刷装置３００のＮＦＣメモリーに保存されている情報を読み取ることが可能である。そして、端末装置２００は、読み取ったジョブの設定値と別情報リストと印刷装置３００の識別情報と残り印刷部数をデータメモリー２１４に保存する。
【００５６】
ステップＳ１２１０で、端末装置２００は、データメモリー２１４に保存したジョブの設定値と残り印刷部数を基に、ジョブを生成する。ステップＳ１２１１(図１３）で、端末装置２００は、ＮＦＣタッチ操作に応じて、印刷装置７００と無線ＬＡＮのＰ２Ｐ接続を確立する。ここで、ＮＦＣタッチ操作以外の方法で無線ＬＡＮのＰ２Ｐ接続を確立しても良い。また、端末装置２００に搭載されているアプリケーションで、データメモリー２１４に保存されている識別情報リストを利用して、印刷装置３００と同じ課金体系に属する印刷装置７００を探索しても良い。また、端末装置２００と印刷装置７００は、印刷装置３００のネットワーク構成に依らず、無線ＬＡＮの接続を確立することができる。ステップ１２１２で、端末装置２００は、無線ＬＡＮを経由しジョブの設定値と残り印刷部数を基に生成したジョブと識別情報リストと印刷装置３００の識別情報を印刷装置７００に送信する。
【００５７】
ステップＳ１２１３で、印刷装置７００は、端末装置から再印刷（継続印刷）用のジョブを受信すると、印刷装置３００で行っていた印刷が継続できることを、課金サーバー８００に印刷装置３００の識別情報を送ることで問い合わせる。ステップＳ１２１４で、課金サーバー８００は、印刷装置３００の識別情報を基に印刷装置３００が課金済であることを確認する。ステップＳ１２１５で、課金サーバー８００は、印刷装置３００の識別情報を基に印刷装置３００と通信を行い、印刷装置３００で実行していたジョブの処理が未処理となっていることを確認する。ここで、印刷装置３００のＮＦＣメモリーに保存されている残り印刷ページ数及び／または部数を基に印刷装置３００で実行していたジョブの処理が未処理であると判断しても良い。また、課金サーバー８００が印刷装置３００と通信ができない場合に、印刷装置３００で実行していたジョブの処理が未処理であると判断しても良い。ステップＳ１２１６で、課金サーバー８００は、印刷装置３００が課金済でかつジョブが未処理となっていると確認できた場合に、印刷を継続しても良いと判定し、判定結果を印刷装置７００に返す。ステップＳ１２１６で、課金サーバー８００から、印刷を継続しても良いという判定結果が返ってきた場合に、ステップＳ１２１７で、印刷装置７００は、残りの部数の印刷処理を実行する。
【００５８】
以上説明したように、実施形態２によれば、印刷装置３００は、ＮＦＣメモリーに、その印刷を実行していたジョブの設定値及び識別情報リスト及び印刷３００の識別情報及び残り印刷ページ数及び／または部数を保存する。端末装置２００は、印刷装置３００のＮＦＣメモリーに保存されたジョブの設定値及び識別情報リスト及び印刷３００の識別情報及び残り印刷部数を参照し、印刷装置７００へ送信する。印刷装置７００が課金サーバー８００と通信を行い、印刷装置３００で実行していた印刷が継続できるかを確認する。これにより、印刷装置３００が故障等により印刷が継続できない状況に陥ったとしても、余計な課金をすることなく、印刷装置３００とは異なる印刷装置７００を使用した印刷の継続が可能となる。
【００５９】
なお、端末装置２００が複数ページの複数部数を印刷する場合、印刷装置３００は、各部毎に印刷を行うのか、それとも各ページ毎に複数部数分印刷するのか、その印刷順序を示す情報を、ＮＦＣメモリーに格納してもよい。例えば、１０ページのデータを１０部印刷する場合、１〜１０のページを１部印刷する動作を１０回繰り返す（例えば印刷順序Ａ）のか、それとも１ページ目の印刷を１０回繰り返し、その後２ページ目の印刷を１０回繰り返す（例えば印刷順序Ｂ）のか、その印刷順序を上記の情報に含ませる。そして、例えば前者のケースにおいて４部目の５ページ目に印刷が中断した場合、「印刷順序Ａ」と、「残りページ数：６ページ」、「残り部数：７部」という情報を端末装置が取得することができる。
【００６０】
そして、印刷装置７００に上記情報が渡されることで、印刷装置７００は、４部目について５ページ目から印刷を開始し、さらに５〜１０分目について、１〜１０ページの印刷を実行することができる。
【００６１】
なお、印刷装置３００がＮＦＣメモリーに書き込む進捗情報は、残りページ数及び／または部数に限らず、例えば印刷中（もしくは印刷済み）のページ数及び／または部数であっても、上記処理と同様の効果を得ることができる。
【００６２】
さらに、端末装置が印刷装置７００に対して、各種の方法を用いて、当該印刷ジョブが継続印刷であることを通知することができる。
【００６３】
例えばユーザが継続印刷であることを端末装置の操作部への操作により指定してもよいし、自動的に通知される場合であってもよい。自動的に通知する方法として、例えば印刷装置３００において印刷を開始するときに、印刷装置３００のＮＦＣメモリーに「印刷中」であることを示す情報を記憶しておく。そして印刷が完了したときに、その情報を削除するようにする。
【００６４】
仮にエラーが起きた場合に、上記情報がＮＦＣメモリーに残されたままになるため、通信装置はその情報を読み出すことができる。そして、印刷装置７００に印刷ジョブが送信されたときに、印刷装置７００が上記情報の有無を判定し、上記情報が受信された場合に、継続印刷であると判定してもよい。
【００６５】
［実施形態３］
本実施形態では、印刷装置３００のＮＦＣメモリーに保存されている図８のジョブの設定値及び図９の識別情報リスト及び図１０印刷装置３００の識別情報及び図１１の残り印刷部数を利用する。そして、印刷装置７００（代替印刷装置）を利用して未完のジョブを継続するユースケースについて説明する。ここで、印刷装置３００と印刷装置７００は異なっていても、同一のものでもかまわない。
【００６６】
尚、本実施形態における各装置の構成について、特に説明のない限り、実施形態１及び実施形態２と同等であるものとして説明を省略する。また、印刷装置７００の外観は図３、構成は図５と同等なものであるとする。
【００６７】
図１４と図１５のフローチャートを用いて、本実施形態の説明を行う。尚、ステップＳ１３０１〜ステップＳ１３０８までの処理は、図７のステップＳ１１０１〜ステップＳ１１０８と同一であるため、説明を省略する。また、ステップＳ１３０９の処理も、図１３のステップＳ１２１１と同一であるため、説明を省略する。また、ステップＳ１３１３〜ステップＳ１３１７までの処理も、図１３のステップＳ１２１３〜ステップＳ１２１７と同一であるため、説明を省略する。
【００６８】
ステップＳ１３１０で、端末装置２００は、印刷装置７００に対して、印刷装置３００に送信したジョブと全く同じジョブを送信する。ステップＳ１３１１で、印刷装置７００は、ＮＦＣ通信を利用して、印刷装置３００のＮＦＣユニットと通信し、印刷装置３００のＮＦＣメモリーに保存されていたジョブの設定値（図８）と識別情報リスト（図９）と印刷装置３００の識別情報（図１０）と残り印刷部数を読み取る（図１１）。印刷装置３００が故障により電源が入らない状態であってもＮＦＣのパッシブモードを利用すれば、携帯端末２００はＮＦＣメモリーに保存されている情報を読み取ることが可能である。ステップＳ１３１２で、印刷装置７００は、受信したジョブとステップＳ１３１１で読み取ったジョブの設定値と残り印刷ページ数及び／または部数を基に、受信したジョブを書き換える。
【００６９】
例えば印刷装置３００にエラーが発生した場合、ユーザは印刷装置３００のＮＦＣユニットを印刷装置７００のＮＦＣユニットに近づけることで、端末装置２００を介さなくても、エラー発生前に印刷装置３００で実行していた印刷と同様の印刷を、エラー発生時の続きから継続印刷させることができる。例えば印刷装置３００が小型のモバイルプリンター等である場合、ユーザは印刷装置３００を容易に持ち運びすることができ、印刷装置３００と印刷装置７００で直接ＮＦＣ通信を実行させることができる。
【００７０】
上記の例をわかりやすく説明すると次の通りである。たとえば、端末装置２００が、最初の印刷装置３００に対して１００部の印刷要求を行い、そのうち６０部の印刷が完了したところで、印刷装置３００に何らかのエラーが発生した場合である。このとき、端末装置２００は、未完の処理量を示す４０部数を示す情報を含む、継続印刷に必要な情報を印刷装置３００からＮＦＣユニットを介して取得することになる。そして、端末装置２００が、印刷装置３００に対するのと同じ印刷ジョブ（１００部の印刷ジョブ）を印刷装置７００に送信すると共に、ＮＦＣユニットを介して印刷装置３００から取得した情報も合わせて印刷装置７００に送信する。印刷装置７００は、これによって、受信したジョブが既に課金済みであり、かつ、残り４０部の印刷が未完であることが判明するので、印刷装置７００のＮＦＣユニットのＮＦＣメモリの「１００部」を「４０部」に書き換える。つまり、印刷装置３００が故障する直前の、印刷装置３００のＮＦＣユニット内のＮＦＣメモリのジョブの進捗状態を再構成する。そして、印刷装置７００はそのジョブを継続実行する。
【００７１】
以上説明したように、実施形態３によれば、印刷装置３００は、ＮＦＣメモリーに、その印刷を実行していたジョブの設定値及び識別情報リスト及び印刷装置３００の識別情報及び残り印刷部数を保存する。印刷装置７００は、印刷装置３００のＮＦＣメモリーに保存されたジョブの設定値及び識別情報リスト及び印刷３００の識別情報及び残り印刷部数を参照してジョブを書き換える。印刷装置７００が課金サーバー８００と通信を行い、印刷装置３００で実行していた印刷が継続できるかを確認する。これにより、印刷装置３００が故障等により印刷が継続できない状況に陥ったとしても、端末装置２００に余計な課金を強いることなく、印刷装置３００とは異なる印刷装置７００を使用した印刷の継続が可能となる。
【００７２】
［実施形態４］
本実施形態では、印刷装置３００のＮＦＣメモリーに保存されている図８のジョブの設定値及び図９の識別情報リスト及び図１０印刷装置３００の識別情報及び図１１の残り印刷部数を利用する。そして、印刷装置７００を利用して未処理のジョブの課金取り消しを行うユースケースについて説明する。
【００７３】
尚、本実施形態における各装置の構成について、特に説明のない限り、実施形態１及び実施形態２及び実施形態３と同等であるものとして説明を省略する。また、印刷装置７００の外観は図３、構成は図５と同等なものであるとする。
【００７４】
図１６と図１７のフローチャートを用いて、本実施形態の説明を行う。尚、ステップＳ１４０１〜ステップＳ１４０９までの処理は、図１３のステップＳ１２０１〜ステップＳ１２０９と同一であるため、説明を省略する。また、ステップＳ１４１１の処理も、図１３のステップＳ１２１１と同一であるため、説明を省略する。また、ステップＳ１４１４〜ステップＳ１４１５までの処理も、図１３のステップＳ１２１４〜ステップＳ１２１５と同一であるため、説明を省略する。
【００７５】
ステップＳ１２１０で、端末装置２００は、データメモリー２１４に保存したジョブの設定値と残り印刷部数を基に、未処理のジョブに対しての課金取り消しを実行するための情報を生成する。以降、未処理のジョブに対しての課金取り消しを実行するための情報を「課金取り消し情報」と記すものとする。
【００７６】
ステップＳ１４１２で、端末装置２００は、課金取り消し情報と識別情報リストと印刷装置３００の識別情報を印刷装置７００に送信する。
【００７７】
ステップＳ１４１３で、印刷装置７００は、端末装置から課金取り消し情報を受信すると、印刷装置３００で未処理となったジョブの課金取り消しを、課金サーバー８００に印刷装置３００の識別情報を送ることで依頼する。
【００７８】
ステップＳ１２１６で、課金サーバー８００は、印刷装置３００が課金済でかつジョブが未処理となっていると確認できた場合に、印刷装置３００で未処理となったジョブの課金取り消しを実行する。
【００７９】
以上説明したように、実施形態４によれば、印刷装置３００は、ＮＦＣメモリーに、その印刷を実行していたジョブの設定値及び識別情報リスト及び印刷３００の識別情報及び残り印刷ページ数及び／または部数を保存する。端末装置２００は、印刷装置３００のＮＦＣメモリーに保存されたジョブの設定値及び識別情報リスト及び印刷３００の識別情報及び残り印刷部数を参照し、印刷装置７００へ送信する。印刷装置７００が課金サーバー８００と通信を行い、印刷装置３００で未処理となっていたジョブに対する課金取り消しを実行する。これにより、印刷装置３００が故障等により印刷が継続できない状況に陥ったとしても、未処理のジョブに対する課金を取り消すことが可能となる。
【００８０】
なお、上記実施形態では、印刷装置３００が故障した再に、代替印刷装置７００がその未完のジョブを継続するものとして説明した。しかし、この逆もあり得るものである。すなわち、印刷装置７００の処理として説明した事項は、印刷装置３００も有するものとして理解されたい。
【００８１】
以上の実施形態では、印刷装置３００における印刷の設定値や進捗情報等の各種の情報が、印刷装置３００に電力が供給されない状態であっても端末装置がアクセス可能なＮＦＣメモリーに書き込まれる。そのため、仮に印刷装置３００の電源がＯＦＦになるようなエラーが発生したとしても、端末装置がＮＦＣメモリーから上記情報を読み出し、別の印刷装置７００に印刷を実行させることで、印刷装置３００で実行されていた印刷と同様の印刷を、その続きから継続印刷させることができる。
【００８２】
なお、上記実施形態では、印刷実行前に課金を行う例を中心に説明したが、これに限らず、例えば１ページ、または１部印刷する毎に課金を行う場合であってもよい。そして、エラーが発生した印刷装置３００とは異なる印刷装置７００において継続印刷を行う場合、残りページ数及び／または部数により、未課金のページ数及び／または部数を特定する。そして印刷装置７００が特定されたページ数及び／または部数に従って課金サーバーと通信することで、当該印刷装置７００において印刷する分についての課金を適切に行うことができる。
【００８３】
なお、上記の実施形態においてＭＦＰ３００が行うジョブの一例として、ＭＦＰ３００による印刷を例に説明したが、ジョブに対応する処理はこれに限らない。例えば、ＭＦＰ３００からデータ（例えばＭＦＰ３００で原稿を読み取った読取画像や、ＭＦＰ３００のメモリに格納されている文書、画像等）を携帯端末２００に送信する処理でもよい。具体的には、携帯端末２００がジョブとして上記のデータの送信をＭＦＰ３００に要求すると、ＭＦＰ３００がその要求に応じて、上記各種のデータを携帯端末２００に送信する。ジョブに対応する処理としては他にも、携帯端末２００からＭＦＰ３００に送信されたデータを、ＭＦＰ３００が内部または外部のメモリに格納する処理でもよいし、またそのデータをＭＦＰ３００が外部の装置（例えばネットワーク上のサーバ）に送信する処理でもよい。
【００８４】
また通信端末は、無線ＬＡＮにより印刷装置に印刷ジョブを送信してもよいし、ＮＦＣにより印刷ジョブを送信してもよい。
【産業上の利用可能性】
【００８５】
本発明は、無線通信装置及び無線通信システムで、特に近接無線通信が可能な装置と、それらの機器間で確立する一対一の接続の確立およびそれらの無線通信システムに利用可能である。
【００８６】
（その他の実施例）
なお、本実施形態の機能は以下の構成によっても実現することができる。つまり、本実施形態の処理を行うためのプログラムコードをシステムあるいは装置に供給し、そのシステムあるいは装置のコンピュータ（またはＣＰＵやＭＰＵ）がプログラムコードを実行することによっても達成される。この場合、記憶媒体から読み出されたプログラムコード自体が上述した実施形態の機能を実現することとなり、またそのプログラムコードを記憶した記憶媒体も本実施形態の機能を実現することになる。
【００８７】
また、本実施形態の機能を実現するためのプログラムコードを、１つのコンピュータ（ＣＰＵ、ＭＰＵ）で実行する場合であってもよいし、複数のコンピュータが協働することによって実行する場合であってもよい。さらに、プログラムコードをコンピュータが実行する場合であってもよいし、プログラムコードの機能を実現するための回路等のハードウェアを設けてもよい。またはプログラムコードの一部をハードウェアで実現し、残りの部分をコンピュータが実行する場合であってもよい。
【図１】
2015030135.tif 000003
【図２】
2015030135.tif 000004
【図３】
2015030135.tif 000005
【図４】
2015030135.tif 000006
【図５】
2015030135.tif 000007
【図６】
2015030135.tif 000008
【図７】
2015030135.tif 000009
【図８】
2015030135.tif 000010
【図９】
2015030135.tif 000011
【図１０】
2015030135.tif 000012
【図１１】
2015030135.tif 000013
【図１２】
2015030135.tif 000014
【図１３】
2015030135.tif 000015
【図１４】
2015030135.tif 000016
【図１５】
2015030135.tif 000017
【図１６】
2015030135.tif 000018
【図１７】
2015030135.tif 000019